(57)【特許請求の範囲】
【請求項１】
画像データの入力を制御する入力制御手段と、
前記画像データに撮影位置情報が付加されている場合、前記撮影位置情報から地名情報を照合する照合手段と、
前記照合手段により照合された前記地名情報の表示を制御する表示制御手段と、
前記画像データおよび前記地名情報が配置された印刷データを生成し、印刷の実行を指示する印刷実行手段と、
携帯端末に記憶されている前記画像データ、およびネットワークを介してＳＮＳ（Social Networking Service）に保存されている前記画像データを紐付ける携帯アプリケーションのユーザ登録を行うユーザ登録手段と、
前記携帯アプリケーションのユーザと、前記ＳＮＳのユーザを紐付ける紐付け処理手段と、
を備え、
ユーザ登録された前記携帯アプリケーションにログインされた場合、前記表示制御手段は、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理手段は、前記携帯アプリケーションのユーザと、ログインされた前記ＳＮＳのユーザを紐付ける
ことを特徴とする画像出力受付端末。
【請求項２】
前記撮影位置情報に基づいて、前記入力制御手段により入力が制御された前記画像データを絞り込む絞り込み手段と、
前記絞り込み手段によって絞り込まれた前記画像データの中から、前記印刷データに配置される前記画像データの選択を受け付ける受付手段と、
をさらに備えることを特徴とする請求項１に記載の画像出力受付端末。
【請求項３】
前記表示制御手段は、前記受付手段によって受け付けられた前記画像データに付加されている全ての前記撮影位置情報を包含する範囲の地図データの表示を制御し、
前記印刷実行手段は、前記地図データが背景として配置された前記印刷データを生成する
ことを特徴とする請求項２に記載の画像出力受付端末。
【請求項４】
前記表示制御手段は、前記地図データの上に、前記画像データごとに付加されている前記撮影位置情報を示す位置特定オブジェクトと前記画像データの縮小画像との表示を制御し、
前記印刷実行手段は、前記地図データの上に前記位置特定オブジェクトおよび前記縮小画像が配置された前記印刷データを生成する
ことを特徴とする請求項３に記載の画像出力受付端末。
【請求項５】
前記表示制御手段は、前記画像データごとに付加されている撮影時刻情報に基づいて、前記位置特定オブジェクトの経路の表示を制御し、
前記印刷実行手段は、前記地図データの上に前記位置特定オブジェクトの経路が配置された前記印刷データを生成する
ことを特徴とする請求項４に記載の画像出力受付端末。
【請求項６】
前記照合手段により照合された前記地名情報を編集する編集手段をさらに備える
ことを特徴とする請求項１乃至請求項５のいずれかに記載の画像出力受付端末。
【請求項７】
前記表示制御手段は、前記ＳＮＳの一覧画面において、前記携帯アプリケーションに紐付けられたＳＮＳのアイコンをアクティブ表示、前記携帯アプリケーションに未だ紐付けられていないＳＮＳのアイコンをアクティブ非表示になるように制御する
ことを特徴とする請求項１に記載の画像出力受付端末。
【請求項８】
画像データの入力を制御する入力制御ステップと、
前記画像データに撮影位置情報が付加されている場合、前記撮影位置情報から地名情報を照合する照合ステップと、
前記照合ステップにより照合された前記地名情報の表示を制御する表示制御ステップと、
前記画像データおよび前記地名情報が配置された印刷データを生成し、印刷の実行を指示する印刷実行ステップと、
携帯端末に記憶されている前記画像データ、およびネットワークを介してＳＮＳ（Social Networking Service）に保存されている前記画像データを紐付ける携帯アプリケーションのユーザ登録を行うユーザ登録ステップと、
前記携帯アプリケーションのユーザと、前記ＳＮＳのユーザを紐付ける紐付け処理ステップと、
を含み、
ユーザ登録された前記携帯アプリケーションにログインされた場合、前記表示制御ステップは、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理ステップは、前記携帯アプリケーションのユーザと、ログインされた前記ＳＮＳのユーザを紐付ける
ことを特徴とする画像出力受付方法。
【請求項９】
画像データの入力を制御する入力制御ステップと、
前記画像データに撮影位置情報が付加されている場合、前記撮影位置情報から地名情報を照合する照合ステップと、
前記照合ステップにより照合された前記地名情報の表示を制御する表示制御ステップと、
前記画像データおよび前記地名情報が配置された印刷データを生成し、印刷の実行を指示する印刷実行ステップと、
携帯端末に記憶されている前記画像データ、およびネットワークを介してＳＮＳ（Social Networking Service）に保存されている前記画像データを紐付ける携帯アプリケーションのユーザ登録を行うユーザ登録ステップと、
前記携帯アプリケーションのユーザと、前記ＳＮＳのユーザを紐付ける紐付け処理ステップと、
を含み、
ユーザ登録された前記携帯アプリケーションにログインされた場合、前記表示制御ステップは、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理ステップは、前記携帯アプリケーションのユーザと、ログインされた前記ＳＮＳのユーザを紐付ける
処理をコンピュータに実行させるためのプログラム。
【発明の詳細な説明】
【技術分野】
【０００１】
本発明は、画像データの印刷を行う画像出力受付端末に関し、特に、画像データと、画像データに付加されている撮影位置情報に基づく地名情報を配置して印刷することが可能な画像出力受付端末および画像出力受付方法、並びにプログラム等に関するものである。
【背景技術】
【０００２】
近年、利用者が所有する記憶媒体に記憶されている画像データの印刷を行う画像印刷システムが広く普及している。利用者は、画像印刷システムの画像出力受付端末を操作することにより、デジタルカメラ等で撮影した画像を印刷することができる。
【０００３】
例えば、特許文献１には、フォトアルバムシステムに関する技術が提案されている。特に、コンピュータによるアルバム編集ソフトに、クリッカブルマップの下絵を地図にすることによって、旅行先の地理と関連づけたアルバム作成することが記載されている。
【先行技術文献】
【特許文献】
【０００４】
【特許文献１】特開２００５−８５２５０号公報
【発明の概要】
【発明が解決しようとする課題】
【０００５】
ところで、近年の携帯電話機やデジタルカメラには、ＧＰＳ（Global Positioning System）機能を搭載したものが登場しており、画像（写真）データに撮影位置情報を含めることが可能になっている。
【０００６】
しかしながら、画像データに撮影位置情報が付加されていても、それを有効活用する印刷システムは提案されていなかった。
【０００７】
本発明は、前述した問題点に鑑みてなされたもので、その目的とすることは、画像データと、画像データに付加されている撮影位置情報に基づく地名情報を配置して印刷することが可能な画像出力受付端末等を提供することである。
【課題を解決するための手段】
【０００８】
前述した目的を達成するために、第１の発明は、画像データの入力を制御する入力制御手段と、前記画像データに撮影位置情報が付加されている場合、前記撮影位置情報から地名情報を照合する照合手段と、前記照合手段により照合された前記地名情報の表示を制御する表示制御手段と、前記画像データおよび前記地名情報が配置された印刷データを生成し、印刷の実行を指示する印刷実行手段と、携帯端末に記憶されている前記画像データ、およびネットワークを介してＳＮＳ（Social Networking Service）に保存されている前記画像データを紐付ける携帯アプリケーションのユーザ登録を行うユーザ登録手段と、前記携帯アプリケーションのユーザと、前記ＳＮＳのユーザを紐付ける紐付け処理手段と、を備え、ユーザ登録された前記携帯アプリケーションにログインされた場合、前記表示制御手段は、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理手段は、前記携帯アプリケーションのユーザと、ログインされた前記ＳＮＳのユーザを紐付けることを特徴とする画像出力受付端末である。
第１の発明によって、画像データと、画像データに付加されている撮影位置情報に基づく地名情報を配置して印刷することができる。
また、これにより、共通ログインＩＤとパスワードを用いて携帯アプリケーションにログインするだけで、各ＳＮＳにアップロードされた画像データを、あたかも画像出力受付端末１上で一元管理しているかのように処理することができる。
【０００９】
前記撮影位置情報に基づいて、前記入力制御手段により入力が制御された前記画像データを絞り込む絞り込み手段と、前記絞り込み手段によって絞り込まれた前記画像データの中から、前記印刷データに配置される前記画像データの選択を受け付ける受付手段と、をさらに備える。
これにより、利用者は、撮影位置情報から特定される画像データを容易に選択することができ、選択した画像データの印刷を指示することができる。
【００１０】
前記表示制御手段は、前記受付手段によって受け付けられた前記画像データに付加されている全ての前記撮影位置情報を包含する範囲の地図データの表示を制御し、前記印刷実行手段は、前記地図データが背景として配置された前記印刷データを生成する。
これにより、写真と地図を用いた旅行先のフォトブックを簡単に作成することができる。
【００１１】
前記表示制御手段は、前記地図データの上に、前記画像データごとに付加されている前記撮影位置情報を示す位置特定オブジェクトと前記画像データの縮小画像との表示を制御し、前記印刷実行手段は、前記地図データの上に前記位置特定オブジェクトおよび前記縮小画像が配置された前記印刷データを生成する。
これにより、写真と地図上における撮影場所が記された旅行先のフォトブックを簡単に作成することができる。
【００１２】
前記表示制御手段は、前記画像データごとに付加されている撮影時刻情報に基づいて、前記位置特定オブジェクトの経路の表示を制御し、前記印刷実行手段は、前記地図データの上に前記位置特定オブジェクトの経路が配置された前記印刷データを生成する。
これにより、旅の足取りを示す経路（トラッキングルート）も印刷することができる。
【００１３】
前記照合手段により照合された前記地名情報を編集する編集手段をさらに備える。
これにより、自動付与された地名（写真タイトル）を編集することができる。
【００１５】
前記表示制御手段は、前記ＳＮＳの一覧画面において、前記携帯アプリケーションに紐付けられたＳＮＳのアイコンをアクティブ表示、前記携帯アプリケーションに未だ紐付けられていないＳＮＳのアイコンをアクティブ非表示になるように制御する。
これにより、携帯アプリケーションに紐付けられているＳＮＳを容易に視認することが可能となる。
【００１６】
第２の発明は、画像データの入力を制御する入力制御ステップと、前記画像データに撮影位置情報が付加されている場合、前記撮影位置情報から地名情報を照合する照合ステップと、前記照合ステップにより照合された前記地名情報の表示を制御する表示制御ステップと、前記画像データおよび前記地名情報が配置された印刷データを生成し、印刷の実行を指示する印刷実行ステップと、携帯端末に記憶されている前記画像データ、およびネットワークを介してＳＮＳ（Social Networking Service）に保存されている前記画像データを紐付ける携帯アプリケーションのユーザ登録を行うユーザ登録ステップと、前記携帯アプリケーションのユーザと、前記ＳＮＳのユーザを紐付ける紐付け処理ステップと、を含み、ユーザ登録された前記携帯アプリケーションにログインされた場合、前記表示制御ステップは、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理ステップは、前記携帯アプリケーションのユーザと、ログインされた前記ＳＮＳのユーザを紐付けることを特徴とする画像出力受付方法である。
【００１７】
第３の発明は、画像データの入力を制御する入力制御ステップと、前記画像データに撮影位置情報が付加されている場合、前記撮影位置情報から地名情報を照合する照合ステップと、前記照合ステップにより照合された前記地名情報の表示を制御する表示制御ステップと、前記画像データおよび前記地名情報が配置された印刷データを生成し、印刷の実行を指示する印刷実行ステップと、携帯端末に記憶されている前記画像データ、およびネットワークを介してＳＮＳ（Social Networking Service）に保存されている前記画像データを紐付ける携帯アプリケーションのユーザ登録を行うユーザ登録ステップと、前記携帯アプリケーションのユーザと、前記ＳＮＳのユーザを紐付ける紐付け処理ステップと、を含み、ユーザ登録された前記携帯アプリケーションにログインされた場合、前記表示制御ステップは、前記ＳＮＳの一覧画面の表示を制御し、所定のＳＮＳが選択された場合、選択された前記ＳＮＳのログイン画面の表示を制御し、前記ＳＮＳにログインされた場合、前記紐付け処理ステップは、前記携帯アプリケーションのユーザと、ログインされた前記ＳＮＳのユーザを紐付ける処理をコンピュータに実行させるためのプログラムである。
第３の発明に係るプログラムをコンピュータにインストールすることで、第１の発明に係る画像出力受付端末を得ることができる。
【発明の効果】
【００１８】
本発明により、画像データと、画像データに付加されている撮影位置情報に基づく地名情報を配置して印刷することが可能な画像出力受付端末および画像出力受付方法、並びにプログラムを提供することができる。
【図面の簡単な説明】
【００１９】
【図１】本発明の実施の形態に係る画像出力受付端末の外観斜視図である。
【図２】図２は、画像出力受付端末のハードウエアの構成例を示すブロック図である。
【図３】製本機のハードウエアの構成例を示すブロック図である。
【図４】画像出力受付端末内のコンピュータの機能構成例を示すブロック図である。
【図５】画像出力受付端末の処理を説明するフローチャートである。
【図６】端末トップ画面の表示例を示す図である。
【図７】画像絞り込み方法選択画面の表示例を示す図である。
【図８】地図上に撮影位置情報を示すピンを配置した表示例を示す図である。
【図９】全画像画面の表示例を示す図である。
【図１０】図５のステップＳ１１の画像受付・印刷処理の詳細を説明するフローチャートである。
【図１１】図５のステップＳ１１の他の例の画像受付・印刷処理の詳細を説明するフローチャートである。
【図１２】印刷イメージ確認画面の表示例を示す図である。
【図１３】印刷イメージ確認画面の他の表示例を示す図である。
【図１４】図５のステップＳ１１のさらに他の例の画像受付・印刷処理の詳細を説明するフローチャートである。
【図１５】テンプレートを使用した印刷イメージ確認画面の表示例を示す図である。
【図１６】第２の実施の形態に係る画像出力受付システムの構成例を示す図である。
【図１７】第１の実施の形態の図５のステップＳ１に代わる、画像出力受付端末１の処理を説明するフローチャートである。
【図１８】様々な画像入力手段を提供する場合のメニュー画面の表示例を示す図である。
【図１９】携帯アプリケーションを利用するためのログイン画面の表示例を示す図である。
【図２０】ＳＮＳ一覧画面の表示例を示す図である。
【図２１】携帯アプリケーションを利用するための新規ユーザ登録画面の表示例を示す図である。
【図２２】第１の実施の形態の図５のステップＳ１に代わる、サーバ２０１の処理を説明するフローチャートである。
【発明を実施するための形態】
【００２０】
以下、図面に基づいて、本発明の実施形態を詳細に説明する。
【００２１】
［第１の実施の形態］
図１は、本発明の実施の形態に係る画像出力受付端末１の外観斜視図である。
【００２２】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２３】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart
Media（登録商標）、MEMORY STICK（登録商標）、USB（Universal Serial Bus）メモリ等である。
【００２４】
携帯端末は、例えば、スマートフォン、iPhone（登録商標）、カメラ付き携帯電話機、iPad（登録商標）、携帯型パーソナルコンピュータ等である。通信方法は、例えば、blue tooth（登録商標）、IR（赤外線通信）等である。
【００２５】
また、携帯端末には、ＧＰＳ（Global Positioning System）機能が搭載されており、撮影された画像データに、Ｅｘｉｆ（Exchangeable image file format）規格のＧＰＳに関する付属情報が付加されている。付属情報には、撮影位置情報および撮影時刻情報等がある。
【００２６】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２７】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２８】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００２９】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００３０】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００３１】
本実施の形態で用いられる画像データには、撮影位置情報が付加されているものがある。この撮影位置情報が付加された画像データが印刷注文された場合には、画像出力受付端末１は、撮影位置情報に基づく地名情報を対応する画像の所定位置に配置して印刷する。
【００３２】
つまり、利用者が所有するデジタルスチルカメラや携帯端末に搭載されているデジタルカメラには、撮影時にＧＰＳ機能も併せ持っていることが前提である。デジタルカメラは、画像データに撮影位置情報を関連付けて保存する。
【００３３】
次に、画像出力受付端末１の基本的動作について説明する。
【００３４】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択する。
【００３５】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００３６】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００３７】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物は、印刷物取出口１９から排出され、利用者に提供される。
【００３８】
また画像出力受付端末１は、「フォトブック」を作成する場合、印刷された印刷物を内部製本機に搬送し、印刷物を所定の製本方法で製本する。製本されたフォトブックは、図示せぬフォトブック取出口から排出され、利用者に提供される。
【００３９】
更に、本発明は、その場で印刷物を受け取る場合に限られず、いわゆる「オンライン製本」にも適用可能である。「オンライン製本」とは、利用者などが所有するコンピュータから同様の手順によって印刷物の発注を行い、業者が印刷物を製本し、郵送によって印刷物を受け取るというものである。本発明を「オンライン製本」に適用する場合、後述する図５、図１０、図１１、図１４に示す処理を実行する為のプログラムを、利用者などが所有する汎用のコンピュータにインストールすることによって同様に実現することができる。すなわち、画像出力受付端末１とは、図５、図１０、図１１、図１４に示す処理を実行する為のプログラムがインストールされた汎用のコンピュータも含むものである。
【００４０】
なお、画像出力受付端末１は、料金算出、レシート（引換券）の発行を行うだけでなく、課金機を装備しているため、利用者に入金を要求して現金による課金処理を行うようにすることもできる。
【００４１】
図２は、画像出力受付端末１のハードウエアの構成例を示すブロック図である。
【００４２】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８、および製本機５０を制御する。
【００４３】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００４４】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４５】
プログラムのコードは、制御部３１により必要に応じて読み出され、RAMに移され、CPUに読み出されて各種機能として実行される。
【００４６】
入出力部３３は、記憶部３２に格納されているプログラム等の更新や、画像出力受付端末１の設定等を行うメンテナンス時に用いられる。
【００４７】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置（例えば、後述するオンラインサイト）間の通信制御を行う。
【００４８】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００４９】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００５０】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００５１】
レシートジャーナル処理部４７は、レシート取出口１５に対応して画像出力受付端末１内部に設けられ、利用者の徴収金額や注文内容に応じたレシートを印刷する。
【００５２】
プリンタ４８は、印刷物取出口１９に対応して画像出力受付端末１内部に設けられ、印刷物を印刷する。プリンタ４８は、画像データを印刷する高解像度カラープリンタであり、熱転写プリンタあるいはインクジェット型など、プリンタの方式は特に問わない。印刷を行うべく紙は、シート状またはロール状である。
【００５３】
製本機５０は、ローラや搬送路等を有し、プリンタ４８で印刷された印刷物を所定の製本方法で製本しフォトブック等の製本物を作成して出力する。
【００５４】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。また、製本機５０も、画像出力受付端末１内部に設けられ、そこで製本が行われるが、これに限らず、例えば、図示せぬ搬送路を介して接続された外部の製本機に印刷物を搬送し、そこで製本を行わせるようにしてもよい。すなわち、画像出力受付端末１と、プリンタ４８、製本機５０はそれぞれ別体であってもよい。
【００５５】
図３は、製本機５０のハードウエアの構成例を示すブロック図である。
【００５６】
製本機５０は、印刷物を折りたたむ折り機構５１、印刷物をホチキスや製本テープ、背表紙、糊等で綴じる綴じ機構５２、印刷物を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００５７】
図４は、画像出力受付端末１内のコンピュータ３０の機能構成例を示すブロック図である。図４に示す機能部のうちの少なくとも一部は、図２の制御部３１により画像印刷プログラムが実行されることによって実現される。
【００５８】
入力制御部６１は、各種メディア読取部４１で読み込まれた画像データや通信部４２で読み込まれた画像データの入力を制御する。
【００５９】
表示制御部６２は、入力制御部６１に入力された画像データの一覧表示画面、画像データの印刷サービスを利用者に提供するための画像出力サービス案内画面等の各種画面のモニタ４４上への表示を制御する。
【００６０】
画像受付部６３は、モニタ４４に表示されている画像データの一覧表示画面において、利用者による画像の選択を受け付ける。
【００６１】
照合部６４は、位置情報（緯度、経度）に基づく地名情報を保持しており、入力制御部６１に入力された画像データに撮影位置情報が付加されている場合、その撮影位置情報から地名情報を照合する。また、照合部６４は、外部データベースが保持している地図情報を参照して地名情報を照合するようにしても良い。
【００６２】
絞り込み部６５は、入力制御部６１に入力された画像データから、利用者によって指定された絞り込み範囲の画像データを絞り込む。
【００６３】
編集部６６は、利用者により地名情報の編集が行われた場合、入力制御部６１に入力された編集内容を表わす入力データに基づいて、地名情報を更新（編集）する。
【００６４】
課金部６７は、印刷注文に応じた料金を算出し、その算出結果をモニタ４４に表示させ、利用者に支払いを要求する。また課金部６７は、コインメック４５やビルバリ４６の金銭の入出力を管理する。
【００６５】
印刷実行部６８は、課金部６７によって課金処理が完了すると、印刷対象の画像データや地名情報を所定位置に配した後、印刷データに変換し、印刷データの印刷を実行する。
【００６６】
次に、図５のフローチャートを参照して、画像出力受付端末１の処理について説明する。この処理は、画像出力受付端末１が起動中、常に実行されているものである。なお、画像出力受付端末１の起動中に表示される各画面を総称して、本発明では「画像出力サービス案内画面」と呼ぶ。また、ステップＳ３における、画像絞り込み方法には、「カレンダー」、「フォルダ」、および「地図」があり、図５の例では、「地図」が選択された場合の処理についてのみ説明する。
【００６７】
ステップＳ１において、画像出力受付端末１の表示制御部６２は、タッチパネル付ディスプレイ１１（モニタ４４）に端末トップ画面を表示し、利用者からのメモリカードの選択を受け付ける。
【００６８】
図６は、端末トップ画面１００の表示例を示す図である。
【００６９】
図６に示すように、端末トップ画面１００には、利用する入力メディア（メモリカード）を選択するための、「メディアＡ」、「メディアＢ」、・・・「メディアＮ」の１４種類の入力メディアの選択ボタンが表示されている。これらの選択ボタンは、入力メディアの概観を表わす画像および名称を含んでおり、選択ボタンの表示順序は、例えば、名称順、あるいは利用頻度の高い順である。
【００７０】
利用者は、図６に示す端末トップ画面において、利用する入力メディアの選択ボタンを押下することで、次の画像出力サービス案内画面へと進むことができる。
【００７１】
なお、画像入力手段としては、メモリカードを挿入し、そこからデータを読み込む以外にも、以下の３つの方法がある。
１．インターネットを介して、オンラインアルバムサーバから読み込む。
２．近距離通信によって、スマートフォン等の携帯端末から読み込む。
３．インターネットを介して、オンラインアルバムサーバからスマートフォン等の携帯端末がダウンロードし、更に、近距離通信によって、スマートフォン等から読み込む。
【００７２】
図５の説明に戻る。ステップＳ１において、利用者により、図６に示す端末トップ画面で所定のメモリカードに対応する選択ボタンが選択されたことを検知すると、ステップＳ２に進み、画像出力受付端末１の表示制御部６２は、印刷サービスメニュー画面（図示せず）を表示し、所定の印刷サービス（通常印刷またはフォトブック）が選択されるまで待機する。
【００７３】
ステップＳ２において、利用者により、印刷サービスメニュー画面で所定の印刷サービスが選択されたことを検知すると、ステップＳ３に進み、画像出力受付端末１の表示制御部６２は、画像絞り込み方法選択画面を表示し、所定の画像絞り込み方法が選択されるまで待機する。
【００７４】
図７は、画像絞り込み方法選択画面１１０の表示例を示す図である。
【００７５】
図７に示すように、画像絞り込み方法選択画面１１０には、画像絞り込み方法を選択するための「カレンダーから絞り込む」、「フォルダから絞り込む」、「地図から絞り込む」の３つの選択ボタンが表示されている。
【００７６】
「カレンダーから絞り込む」が選択された場合、日付で特定される画像データを絞り込むことができる。「フォルダから絞り込む」が選択された場合、所定のフォルダ名（例えば、利用者が付与したカテゴリ）で特定される画像データを絞り込むことができる。「地図から絞り込む」が選択された場合、撮影位置情報で特定される画像データを絞り込むことができる。
【００７７】
利用者は、図７に示す画像絞り込み方法選択画面１１０において、利用する画像絞り込み方法の選択ボタンを押下することで、次の画像出力サービス案内画面へと進むことができる。
【００７８】
図５の説明に戻る。ステップＳ３において、利用者により、図７に示す画像絞り込み方法選択画面１１０で所定の画像絞り込み方法（図５の例では、「地図から絞り込む」）が選択されたことを検知すると、ステップＳ４に進み、画像出力受付端末１の照合部６４は、メモリカードから読み込んだ画像データに付加されている撮影位置情報を取得する。またこのとき、画像出力受付端末１の表示制御部６２は、表示範囲絞り込み指定画面（図示せず）を表示し、表示範囲（国全体表示、都道府県別表示、市町村別表示等）の指定を受け付ける。もちろん、利用者は表示範囲を必ずしも指定する必要はない。
【００７９】
ステップＳ５において、画像出力受付端末１の絞り込み部６５は、表示範囲の絞り込みが指定されたか否かを判定し、表示範囲の絞り込みが指定されたと判定した場合、指定された表示範囲に存在する画像データを絞り込む。例えば、「東京都」の表示範囲が指定された場合、東京都に存在する撮影位置情報が付加された画像データのみが絞り込まれる。その後、処理はステップＳ６に進む。
【００８０】
ステップＳ６において、画像出力受付端末１の表示制御部６２は、ステップＳ５の処理で絞り込まれた画像データに付加されている撮影位置情報に基づいて、その撮影位置情報を包含する範囲（地図）を表示するとともに、撮影位置情報を示す位置特定オブジェクト（以下、ピンと称する）を表示する。
【００８１】
図８は、地図上に撮影位置情報を示すピンを配置した表示例を示す図である。
【００８２】
図８に示すように、地図画面１２０には、画像データに付加されている撮影位置情報を示すピン１２１が表示されている（ピン表示モード）。また画面右側には、スライダーバー１２２が表示されており、バーをスライドすることで、地図の拡大または縮小を行うことができる。地図の拡大または縮小が行われた場合には、その表示範囲に存在する画像データの絞り込みが再度行われ、ピン表示も更新される。
【００８３】
画像出力受付端末１は、図８に示す地図画面１２０において、ピン１２１の押下を検知すると、その撮影位置情報に紐付けられている画像データのサムネイル画像を数枚プレビューする（サムネイル画像表示モード）。図８の例では、サムネイル画像Ｐ１〜Ｐ３がプレビューされている。なお、ピン１２１が押下されていない場合、サムネイル画像Ｐ１〜Ｐ３は非表示となる。このように、撮影位置情報を示すピン１２１と、その撮影位置情報に紐付けられている画像データは関連付けられている。
【００８４】
また、画像出力受付端末１は、図８に示す地図画面１２０において、「全画像表示」の文字列１２３の押下を検知すると、その撮影位置情報に紐付けられている画像データを全て表示する。つまり、撮影位置情報を示すピン１２１、「全画像表示」の文字列１２３、および、その撮影位置情報に紐付けられている画像データは関連付けられている。
【００８５】
図５の説明に戻る。ステップＳ５において、画像出力受付端末１の絞り込み部６５は、表示範囲の絞り込みが指定されていないと判定した場合、ステップＳ７に進む。ステップＳ７において、画像出力受付端末１の表示制御部６２は、地図全体を表示するとともに、全ての画像データに付加されている撮影位置情報を示すピンを表示する。
【００８６】
ステップＳ８において、画像出力受付端末１の絞り込み部６５は、表示範囲の絞り込みが再指定されたか否かを判定し、表示範囲の絞り込みが再指定されたと判定した場合、ステップＳ６に戻り、上述した処理を繰り返し実行する。そして、ステップＳ８において、画像出力受付端末１の絞り込み部６５は、表示範囲の絞り込みが再指定されていないと判定した場合、ステップＳ９に進む。
【００８７】
ステップＳ９において、画像出力受付端末１の表示制御部６２は、図８に示す地図画面１２０の「全画像表示」の文字列１２３が押下されたか否かを判定し、「全画像表示」の文字列１２３が押下されるまで待機する。そして、画像出力受付端末１の表示制御部６２は、「全画像表示」の文字列１２３が押下されたと判定した場合、ステップＳ１０に進み、当該ピンに紐付けられている全画像データを表示する。
【００８８】
図９は、全画像画面１３０の表示例を示す図である。
【００８９】
図９に示すように、全画像画面１３０には、押下された「全画像表示」の文字列１２３に紐付けられた画像データのサムネイル画像Ｐ１１〜Ｐ１８が一覧表示されている。また、全画像画面１３０には、画像の選択を決定するための「決定」ボタン１３１、前の画面に戻るための「戻る」ボタン１３２も表示されている。さらに、画像の絞り込みを再度行う場合に選択される「国・都道府県・市町村・全て」の文字列１３３が表示されている。
【００９０】
画像出力受付端末１は、所望の絞り込み範囲の押下を受け付けると、絞り込み範囲を現在表示されている場所から、指定された絞り込み範囲に変更し、画像データを再度絞り込む。なお、「全て」の文字列が押下された場合には、絞り込みをしない状態の全画像データのサムネイル画像を表示する。
【００９１】
ステップＳ１１において、画像出力受付端末１の画像受付部６３は、画像受付処理を行い、印刷実行部６８は、選択された画像の印刷を実行する。
【００９２】
図１０は、図５のステップＳ１１の画像受付・印刷処理の詳細を説明するフローチャートである。この例では、図５のステップＳ２で「通常印刷」のサービスが選択された場合の処理について説明する。
【００９３】
ステップＳ２１において、画像出力受付端末１の画像受付部６３は、利用者による全画像画面１３０での画像データの選択を受け付ける。このとき、既に選択された画像データはそのままに、絞り込み範囲を変更して選択画像を追加することもできる。
【００９４】
そして、利用者によって、図９に示す全画像画面１３０の「決定ボタン」１３１が押下されたことを検知すると、ステップＳ２２において、画像出力受付端末１の印刷実行部６８は、ステップＳ２１の処理で選択された印刷対象の画像データを印刷データに変換し、印刷データをプリンタ４８に送信し、印刷を指示する。印刷された印刷物は、印刷物取出口１９から排出され、利用者に提供される。
【００９５】
そして、印刷終了後、画像出力受付端末１の制御部３１は、図５のステップＳ１に戻り、端末トップ画面を再び表示し、待機状態となる。
【００９６】
このように、通常の印刷サービスにおいて、利用者は、撮影位置情報から特定される画像データを容易に選択することができ、選択した画像データの印刷を指示することができる。
【００９７】
図１１は、図５のステップＳ１１の他の例の画像受付・印刷処理の詳細を説明するフローチャートである。この例では、図５のステップＳ２で「フォトブック」のサービスが選択された場合の処理について説明する。
【００９８】
ステップＳ３１において、画像出力受付端末１の画像受付部６３は、利用者による全画像画面１３０での画像データの選択を受け付ける。ステップＳ３２において、画像出力受付端末１の照合部６４は、選択された画像データに付加されている撮影位置情報から、自らが保持する情報又は外部データベースが保持している地図情報を参照して地名情報を照合する。表示制御部６２は、照合部６４によって照合された地名情報の候補一覧である地名選択画面（図示せず）を表示し、各画像に付与する地名の選択を受け付ける。
【００９９】
ステップＳ３３において、画像出力受付端末１の編集部６６は、ステップＳ３２の処理で選択された地名を画像データの写真タイトルとして付与する。そして、利用者によって、図９に示す全画像画面１３０の「決定ボタン」１３１が押下されたことを検知すると、ステップＳ３４において、画像出力受付端末１の表示制御部６２は、印刷イメージを、タッチパネル付ディスプレイ１１に表示する。なお、図示は省略するが、フォトブック印刷サービスには、見開き毎に写真レイアウトを定義するテンプレートが用意されており、そのテンプレートを使用することで、選択された画像が自動的に配置される。
【０１００】
図１２は、印刷イメージ確認画面１４０の表示例を示す図である。
【０１０１】
図１２に示すように、印刷イメージ確認画面１４０には、フォトブックの印刷イメージ１４１、および、その印刷イメージ１４１の写真タイトル１４２が表示されている。
【０１０２】
利用者は、図１２に示す印刷イメージ確認画面１４０を確認し、写真タイトルを編集したい場合には、写真タイトル１４２を押下する。これに対して、画像出力受付端末１は、写真タイトル１４２が押下されたことを検知すると、図１３に示すような入力ボックス１４３を表示する。入力ボックス１４３内には、検索を示すマーク１４３Ａも表示する。また入力ボックス１４３の表示と同時に、ソフトウェアキーボード１４４を、図中矢印Ａに示す方向にスライドインし表示する。
【０１０３】
利用者は、図１３に示す印刷イメージ確認画面１４０において、ソフトウェアキーボード１４４を用いて検索文字（図１３の例では、「スペース＋まえだ」）を入力する。これに対して、画像出力受付端末１は、検索文字の入力を受け付けると、入力された検索文字を含む地名を検索し、検索結果候補一覧１４５として表示する。利用者は、検索結果候補一覧１４５の中から、所望の地名（例えば、検索結果候補一覧１４５の上から４行目の「沖縄県国頭郡恩納村真栄田真栄田岬」の地名）を押下（選択）する。これに対して、画像出力受付端末１は、地名の押下を受け付けると、その地名を入力ボックス１４３内に表示する。利用者は、ソフトウェアキーボード１４４のバックスペースやデリートキー等を用いて、入力ボックス１４３内に表示された地名から必要な部分（例えば、「真栄田岬」）だけを設定し、画像出力受付端末１は、設定された部分のみを表示しても良い。そして、利用者は、入力ボックス１４３、ソフトウェアキーボード１４４、および検索候補一覧１４５以外の画面上を押下する。これに対して、画像出力受付端末１は、入力ボックス１４３に設定された地名を確定する。
【０１０４】
このような写真タイトルの編集作業を行った後、利用者によって、印刷実行が指示されると、ステップＳ３５において、画像出力受付端末１の印刷実行部６８は、上述した処理で選択された印刷対象の画像データおよび編集された写真タイトルを印刷データに変換し、印刷データをプリンタ４８に送信し、印刷を指示する。印刷された印刷物は、製本機５０に搬送され、所定の製本方法で製本され、図示せぬフォトブック取出口から排出され、フォトブックとして利用者に提供される。
【０１０５】
更に、前述したように、本発明は、その場で印刷物を受け取る場合に限られず、「オンライン製本」にも適用可能である。「オンライン製本」の場合、利用者が、自宅などに設置されているコンピュータから同様の手順によって印刷物の発注を行い、業者が印刷物を製本し、郵送によって印刷物が提供される。
【０１０６】
そして、印刷終了後、画像出力受付端末１の制御部３１は、図５のステップＳ１に戻り、端末トップ画面を再び表示し、待機状態となる。
【０１０７】
このように、利用者は、フォトブックの印刷サービスにおいて、撮影位置情報から特定される画像データを容易に選択することができる。そして、画像出力受付端末１は、選択した画像データを用いてフォトブックを作成することができる。また画像データに付加されている撮影位置情報に基づいて照合された地名を写真タイトルとして付与したり、さらに写真タイトルを編集したりすることも可能である。このように、画像出力受付端末１は、写真と、地図上における撮影場所が記された旅行先のフォトブックを簡単に作成することができる。
【０１０８】
なお、写真タイトルは、画像毎やページ毎に付与しても良いし、表紙や背表紙にのみ付与しても良い。
【０１０９】
図１４は、図５のステップＳ１１のさらに他の例の画像受付・印刷処理の詳細を説明するフローチャートである。この例では、「通常印刷」および「フォトブック」のサービスを利用した印刷であって、画像データに付加されている撮影時刻情報に基づいてトラッキングルートを追加印刷する場合の処理について説明する。
【０１１０】
ステップＳ４１〜Ｓ４３は、上述した図１１のステップＳ３１〜Ｓ３３の処理と同様であるため、その詳細は省略する。つまり、ステップＳ４１において、利用者による画像データの選択を検知し、ステップＳ４２において、各画像に用いる地名の選択を検知し、ステップＳ４３において、選択された地名を画像データの写真タイトルとして付与する。
【０１１１】
そして、利用者によって、図９に示す全画像画面１３０の「決定ボタン」１３１が押下されたことを検知すると、ステップＳ４４において、画像出力受付端末１の表示制御部６２は、トラッキングルートを、タッチパネル付ディスプレイ１１に表示する。
【０１１２】
トラッキングルートとは、選択された画像データに付加されている撮影時刻情報に基づく旅の足取りを示す経路のことである。
【０１１３】
ステップＳ４５において、画像出力受付端末１の表示制御部６２は、利用者によりトラッキングルートの印刷が追加注文されたか否かを判定し、トラッキングルートの印刷が追加注文されたと判定した場合、ステップＳ４６に進む。ステップＳ４６において、画像出力受付端末１の表示制御部６２は、さらに利用者により（図５のステップＳ２にて）通常印刷が注文されたか否かを判定し、通常印刷が注文されたと判定した場合、ステップＳ４７に進む。
【０１１４】
ステップＳ４７において、画像出力受付端末１の印刷実行部６８は、ステップＳ４１の処理で選択された印刷対象の画像データを印刷データに変換するとともに、トラッキングルートデータを印刷データに変換し、それらの印刷データをプリンタ４８に送信し、印刷を指示する。印刷された印刷物は、印刷物取出口１９から排出され、利用者に提供される。
【０１１５】
なお、トラッキングルートの印刷方法は、以下の４種類が考えられる。
１．トラッキングルートに係る地図データのみを印刷したもの
２．地図データを含むトラッキングルートデータを印刷したもの
３．地図データに、選択画像を重畳して印刷するとともに、撮影位置情報を示すピン１２１と選択画像が線で結ばれたもの
４．トラッキングルートデータに、選択画像を重畳して印刷するとともに、撮影位置情報を示すピン１２１と選択画像が線で結ばれ、さらにピン同士が撮影時刻順に線で結ばれたもの
【０１１６】
ステップＳ４６において、画像出力受付端末１の表示制御部６２は、利用者により（図５のステップＳ２にて）通常印刷ではなくフォトブックが注文されたと判定した場合、ステップＳ４８に進む。ステップＳ４８において、画像出力受付端末１の表示制御部６２は、利用者によりテンプレートとして使用することが指示されたか否かを判定し、テンプレートとして使用することが指示されたと判定した場合、ステップＳ４９に進む。
【０１１７】
ここで、テンプレートとは、選択された画像群の撮影位置情報を包含する範囲の地図データやトラッキングルートデータが背景に設定されるレイアウト、画像出力受付端末１が予め準備した画像やメモリカード等から読み出した画像が背景に設定されるレイアウトをいう。通常、背景に設定される地図データや画像データ等は透明度が高く設定され、見開きレイアウトに配置される画像に比べて印刷濃度が低く印刷される。また、テンプレートには、地図データやトラッキングルートデータの上に、選択された画像群の縮小画像を印刷するレイアウトも定義されている。
【０１１８】
図１５は、テンプレートを使用した印刷イメージ確認画面１５０の表示例を示す図である。
【０１１９】
図１５に示すように、印刷イメージ確認画面１５０には、フォトブック作成用に選択された画像群の画像ボックス１５１〜１５３が表示されており、各画像ボックスには、「真栄田岬」、「沖縄国際通り」、「北谷」の写真タイトルが付与され表示されている。また画像ボックス１５１に含まれる画像に付加されている撮影位置情報を示すピン１６１が画像ボックス１５１と対応付けられ、画像ボックス１５２に含まれる画像に付加されている撮影位置情報を示すピン１６２が画像ボックス１５２と対応付けられ、画像ボックス１５３に含まれる画像に付加されている撮影位置情報を示すピン１６３が画像ボックス１５３と対応付けられている。
【０１２０】
つまり、図１５の例では、画像ボックス１５１〜１５３がピン１６１〜１６３からそれぞれ吹き出し矢印で示されることで対応付けが明示されている。また、ピン１６１〜１６３は、撮影時刻情報に基づいて、撮影時刻順にピン同士が線で結ばれ、トラッキングルート（経路）１７１として表示されている。
【０１２１】
利用者は、この印刷イメージ確認画面１５０を見て、画像ボックス１６１〜１６３の配置位置を変更したい場合には、画像ボックス１６１〜１６３上でタッチしたままドラッグする動作を行う。これに対して、画像出力受付端末１は、ドラッグ動作を受け付けると、ドラッグ動作に応じて配置位置を変更する。
【０１２２】
図１４の説明に戻る。以上のような編集作業を行った後、利用者によって、印刷実行が指示されたことを検知すると、ステップＳ４９において、画像出力受付端末１の印刷実行部６８は、上述した処理で選択された印刷対象の画像データおよび編集された写真タイトルの背景に、地図データやトラッキングルートデータを配置し、それを印刷データに変換し、印刷データをプリンタ４８に送信し、印刷を指示する。印刷された印刷物は、製本機５０に搬送され、所定の製本方法で製本され、図示せぬフォトブック取出口から排出され、フォトブックとして利用者に提供される。
【０１２３】
ステップＳ４８において、画像出力受付端末１の表示制御部６２は、利用者によりテンプレートとして使用することが指示されていないと判定した場合、ステップＳ５０に進む。ステップＳ５０において、画像出力受付端末１の印刷実行部６８は、上述した処理で選択された印刷対象の画像データおよび編集された写真タイトルの背景に、画像出力受付端末１が予め用意した画像データやメモリカードから読み出した画像データを配置し、それを印刷データに変換し、印刷データをプリンタ４８に送信し、印刷を指示する。印刷された印刷物は、製本機５０に搬送され、所定の製本方法で製本され、図示せぬフォトブック取出口から排出され、フォトブックとして利用者に提供される。
【０１２４】
ステップＳ４５において、画像出力受付端末１の表示制御部６２は、利用者によりトラッキングルートの印刷が追加注文されていないと判定した場合、ステップＳ５１に進む。ステップＳ５１において、画像出力受付端末１は、選択された画像の「通常印刷」の印刷処理または通常の「フォトブック」の印刷処理を実行する。
【０１２５】
そして、印刷終了後、画像出力受付端末１の制御部３１は、図５のステップＳ１に戻り、端末トップ画面を再び表示し、待機状態となる。
【０１２６】
［発明の実施の形態における効果］
１．撮影位置情報から特定される画像データを容易に選択することができ、選択した画像データと、画像データに付加されている撮影位置情報に基づく地名情報を配置して印刷することができる。
２．撮影位置情報に基づいて照合された地名情報を容易に編集することができる。
３．写真と地図上における撮影場所が印された旅行先のフォトブックを簡単に作成することができる。
４．旅の足取りを示す経路（トラッキングルート）も印刷することができる。
【０１２７】
以上において、図５のステップＳ１の処理では、図６に示したような端末トップ画面１００を表示させ、メモリカードからの画像入力手段を提供するようにしたが、これに限らず、様々な画像入力手段を提供することもできる。例えば、上述したように、携帯端末から読み込んだり、あるいは、インターネットを介してオンラインサーバから読み込んだりすることもできる。
【０１２８】
［第２の実施の形態］
図１６は、第２の実施の形態に係る画像出力受付システムの構成例を示す図である。第２の実施の形態では、様々な画像入力手段を提供することを特徴とするものである。
【０１２９】
図１６に示すように、画像出力受付システム２００は、画像出力受付端末１、サーバ２０１、ＳＮＳ（Social Networking Service）サーバ２０２−１乃至２０２−Ｎ、および携帯端末２０３が、ネットワーク２０４を介して相互に接続されることで構成される。なお、画像出力受付端末１は、第１の実施の形態で説明した構成と同様のものである。また、画像出力受付端末１、サーバ２０１、および携帯端末２０３の数は、任意であり、それぞれ複数設けることも勿論可能である。
【０１３０】
サーバ２０１は、CPU（Central Processing Unit）、ROM（Read Only Memory）、RAM（Random Access Memory）、HDD（Hard Disc Drive）等からなるコンピュータであり、携帯端末２０３がダウンロード可能な携帯アプリケーションを管理している。サーバ２０１は、ダウンロード要求のあった携帯端末２０３に対し、携帯アプリケーションを提供する。またサーバ２０１は、画像出力受付端末１または携帯端末２０３からの指示に基づいて、携帯アプリケーションと、ＳＮＳサーバ２０２−１乃至２０２−Ｎが提供するサービス（ＳＮＳ）を紐付ける。
【０１３１】
携帯アプリケーションとは、携帯端末２０３に保存されている画像データを画像出力受付端末１で簡単にプリントすることが可能なアプリケーションのことである。携帯端末２０３は、携帯アプリケーションを利用して、携帯端末２０３に保存されている画像データを、無線ＬＡＮ（Ｗｉ−Ｆｉ（登録商標））経由で画像出力受付端末１に送信することで、簡単にその場でプリントすることができる。
【０１３２】
ＳＮＳサーバ２０２−１乃至２０２−Ｎは、ＳＮＳと呼ばれる会員制のサービスを、ネットワーク２０４を介して提供する。このサービスでは、友人や知人間のコミュニケーションを円滑にする手段や場を提供したり、趣味や嗜好、居住地域、出身校、あるいは、友人の友人といったつながりを通じて新たな人間関係を構築する場を提供したりするものである。
【０１３３】
携帯端末２０３は、CPU（Central Processing Unit）、ROM（Read Only Memory）、RAM（Random Access Memory）、HDD（Hard Disc Drive）、入力部、および表示画面などを実装した携帯型コンピュータであって、例えば、スマートフォン、iPhone（登録商標）、カメラ付き携帯電話機、ipad（登録商標）等である。
【０１３４】
携帯端末２０３は、利用者の指示に応じて、内部に記憶されている画像データを画像出力受付端末１に無線ＬＡＮで送信し、あるいは、専用ケーブルにより有線通信で出力する。
【０１３５】
ネットワーク２０４は、インターネットやローカルエリアネットワーク（ＬＡＮ）等のネットワークであり、有線、無線は特に問わない。
【０１３６】
図１７は、第１の実施の形態の図５のステップＳ１に代わる、画像出力受付端末１の処理を説明するフローチャートである。
【０１３７】
ステップＳ２０１において、画像出力受付端末１の表示制御部６２は、タッチパネルディスプレイ１１（モニタ４４）にメニュー画面を表示し、利用者からのメニュー選択を検知する。
【０１３８】
図１８は、様々な画像入力手段を提供する場合のメニュー画面２１０の表示例を示す図である。
【０１３９】
図１８に示すように、メニュー画面２１０には、「メモリカードからプリント」、「携帯端末からプリント」、「ＳＮＳからプリント」の選択ボタンが表示されている。
【０１４０】
ステップＳ２０２において、画像出力受付端末１の表示制御部６２は、検知した選択ボタンが「メモリカードからプリント」であった場合、図６に示したような端末トップ画面１００の表示に切り替え、利用者から入力メディアの選択を受け付ける。そして、画像出力受付端末１の制御部３１は、入力メディアに記憶されている画像データを取得した後、図５のステップＳ２の処理に進むことができる。
【０１４１】
ステップＳ２０２において、画像出力受付端末１の表示制御部６２は、検知した選択ボタンが「携帯端末からプリント」であった場合、ステップＳ２０３に進み、印刷サービスメニュー画面（図示せず）を表示し、利用者からの印刷メニュー（通常印刷またはフォトブック）の選択を検知する。その後、画像出力受付端末１の表示制御部６２は、携帯アプリケーションを利用するためのログイン画面を表示し、所定のＩＤおよびパスワードの入力を受け付ける。
【０１４２】
図１９は、携帯アプリケーションを利用するためのログイン画面２２０の表示例を示す図である。
【０１４３】
図１９に示すように、ログイン画面２２０には、携帯アプリケーション利用にともないログインするための、ＩＤおよびパスワードの入力欄が表示されている。また、ログイン画面２２０内において、ＩＤおよびパスワードの入力欄の下方には、ソフトウェアキーボードが表示されている。
【０１４４】
利用者は、携帯アプリケーションのユーザ登録が済んでいる場合には、図１９に示すログイン画面２２０において、ソフトウェアキーボードを用いて、正しいＩＤおよびパスワードを入力することで、携帯アプリケーションの利用が可能となる。つまり、携帯端末２０３を画像出力受付端末１の通信口１３に近接させるだけで、携帯端末２０３に記憶されている画像データを画像出力受付端末１に転送し、容易に画像のプリントを行うことができる。
【０１４５】
また利用者は、携帯アプリケーションのユーザ登録が未だ済んでいない場合には、「新規ユーザ登録」の選択ボタン２２１を押下する。この操作に基づいて、画像出力受付端末１の表示制御部６２は、携帯アプリケーションを利用するための新規ユーザ登録画面を表示し、ユーザ情報の入力を受け付ける（後述する）。
【０１４６】
ステップＳ２０４において、画像出力受付端末１の表示制御部６２は、携帯アプリケーションのユーザ登録済であるか否かを判定し、携帯アプリケーションのユーザ登録済である、すなわち、利用者によってＩＤおよびパスワードが入力された場合には、ステップＳ２０５に進む。
【０１４７】
ステップＳ２０５において、画像出力受付端末１の表示制御部６２は、利用者によるＩＤ（携帯アプリケーションとＳＮＳの共通ログインＩＤ）およびパスワードの入力を検知する。ログイン認証後、ステップＳ２０６において、画像出力受付端末１の表示制御部６２は、ネットワーク２０４を介して接続されたＳＮＳサーバ２０２−１乃至２０２−Ｎのサービス一覧を表示する。
【０１４８】
図２０は、ＳＮＳ一覧画面の表示例を示す図である。
【０１４９】
図２０に示すように、ＳＮＳ一覧画面２３０には、ネットワーク２０４を介して接続されたＳＮＳサーバ２０２−１乃至２０２−Ｎのサービスの一覧が、「サービスＡ」、「サービスＢ」・・・「サービスＦ」の選択ボタン（アイコン）として表示されている。これらの選択ボタンは、ＳＮＳサーバ２０２−１乃至２０２−Ｎのそれぞれが提供するサービス（ＳＮＳ）のシンボルマークを表わす画像および名称を含んでおり、それらの表示順は、例えば、名称順、あるいは利用頻度の高い順である。また、既に（事前に）携帯アプリケーションに紐付けられているＳＮＳの選択ボタンには、紐付け済みであることを視認可能にするために、アクティブ表示、かつ、選択ボタンの左横にチェック（図中、レ点）が入れられている。図２０の例では、「サービスＤ」のみが未だ携帯アプリケーションに紐付けられておらず、アクティブ非表示（図中、網掛け表示）となっている。
【０１５０】
ステップＳ２０７において、画像出力受付端末１の表示制御部６２は、所定のＳＮＳを紐付けるか否かを判定し、所定のＳＮＳを紐付ける、すなわち、利用者によって所定のＳＮＳの選択ボタンが選択された場合には、ステップＳ２０８に進む。
【０１５１】
例えば、利用者は、図２０に示すＳＮＳ一覧画面２３０において、「サービスＤ」を携帯アプリケーションに新たに紐付けたい場合、その選択ボタンを押下する。
【０１５２】
ステップＳ２０８において、画像出力受付端末１の表示制御部６２は、利用者による所定のＳＮＳの選択ボタン（例えば、「サービスＤ」の選択ボタン）の選択を検知する。ステップＳ２０９において、画像出力受付端末１の表示制御部６２は、選択されたＳＮＳにログインするためのログイン画面（図示せず）を表示し、選択されたＳＮＳのユーザＩＤおよびパスワードの入力を検知する。
【０１５３】
ログイン認証後、ステップＳ２１０において、画像出力受付端末１の表示制御部６２は、携帯アプリケーションのユーザとＳＮＳのユーザの紐付けを、ネットワーク２０４を介してサーバ２０１に指示する。このとき、紐付け指示とともに、携帯アプリケーションのログインＩＤとパスワードも送信する。
【０１５４】
サーバ２０１は、ネットワーク２０４を介して受信した紐付け指示に基づいて、図２２を用いて後述する紐付け処理を実行し、紐付け完了通知（または紐付けエラー通知）を画像出力受付端末１に送信する。
【０１５５】
ステップＳ２１１において、画像出力受付端末１の制御部３１は、サーバ２０１から、ネットワーク２０４および通信部３４を介して、紐付け完了通知を受信する。紐付け完了通知を受信した画像出力受付端末１の表示制御部６２は、例えば、「携帯端末プリントアプリケーションと統合完了」といったメッセージ画面（図示せず）を表示し、ステップＳ２０６に戻り、図２０に示したＳＮＳ一覧画面２３０を再表示する。このとき、紐付け完了した「サービスＤ」の選択ボタンが、アクティブ表示に切り替わる。
【０１５６】
なお、ステップＳ２１１において、紐付けエラー通知を受信した場合、画像出力受付端末１の表示制御部６２は、例えば、「紐付けエラー」といったメッセージ画面（図示せず）を表示する。
【０１５７】
ステップＳ２０７において、画像出力受付端末１の表示制御部６２は、所定のＳＮＳを紐付けない、すなわち、利用者によって所定のＳＮＳの選択ボタンが選択されなかった場合には、ステップＳ２１２に進む。
【０１５８】
ステップＳ２１２において、画像出力受付端末１の制御部３１は、携帯アプリケーションによって携帯端末２０３の画像データを取得するとともに、携帯アプリケーションに紐付けられているＳＮＳの画像データを取得した後、図５のステップＳ２の処理に進むことができる。
【０１５９】
ステップＳ２０４において、画像出力受付端末１の表示制御部６２は、携帯アプリケーションのユーザ登録済でない、すなわち、利用者によって「新規ユーザ登録」の選択ボタン２２１が選択された場合には、ステップＳ２１３に進む。
【０１６０】
ステップＳ２１３において、画像出力受付端末１の表示制御部６２は、利用者による「新規ユーザ登録」の選択ボタン２２１の押下を検知する。この操作に基づいて、画像出力受付端末１の表示制御部６２は、携帯アプリケーションを利用するための新規ユーザ登録画面を表示し、ユーザ情報の入力を受け付ける。
【０１６１】
図２１は、携帯アプリケーションを利用するための新規ユーザ登録画面の表示例を示す図である。
【０１６２】
図２１に示すように、新規ユーザ登録画面２４０には、ユーザ情報の入力欄が表示されている。ユーザ情報は、例えば、ユーザ名、登録ＩＤ、メールアドレス、年齢、性別等である。なお、図示していないが、新規ユーザ登録画面２４０内に、図１９に示したようなソフトウェアキーボードを表示させてもよい。
【０１６３】
利用者は、図２１に示す新規ユーザ登録画面２４０において、ユーザ情報を入力し、「ＯＫ」ボタンを押下することで、登録したメールアドレスに、ユーザ本登録用ＵＲＬが送信される。
【０１６４】
ステップＳ２１４において、画像出力受付端末１の表示制御部６２は、図２１に示した新規ユーザ登録画面２４０上におけるユーザ情報の入力を検知する。ステップＳ２１５において、画像出力受付端末１の制御部３１は、検知したユーザ情報に含まれるメールアドレス宛（例えば、携帯端末２０４のメールアドレス）に、ユーザ登録用ＵＲＬ（Uniform
Resource Locator）を送信する。
【０１６５】
利用者は、携帯端末２０４からユーザ登録用ＵＲＬにアクセスし、携帯アプリケーションを利用するための本ユーザ登録を行う。
【０１６６】
ステップＳ２０２において、画像出力受付端末１の表示制御部６２は、検知した選択ボタンが「ＳＮＳからプリント」であった場合、ネットワーク２０４を介して接続されたＳＮＳサーバ２０２−１乃至２０２−Ｎのサービス一覧（図示せず）を表示し、ステップＳ２１６に進む。ステップＳ２１６において、画像出力受付端末１の表示制御部６２は、利用者による所定のＳＮＳの選択を検知する。
【０１６７】
ステップＳ２１７において、画像出力受付端末１の表示制御部６２は、選択されたＳＮＳにログインするためのログイン画面（図示せず）を表示し、選択されたＳＮＳのユーザＩＤおよびパスワードの入力を検知する。ログイン認証後、ステップＳ２１８において、画像出力受付端末１の制御部３１は、ログインしたＳＮＳの画像データを取得した後、図５のステップＳ２の処理に進むことができる。
【０１６８】
図２２は、第１の実施の形態の図５のステップＳ１に代わる、サーバ２０１の処理を説明するフローチャートである。
【０１６９】
ステップＳ２３１において、サーバ２０１のCPUは、図１７のステップＳ２１０で画像出力受付端末１より送信されてきた携帯アプリケーションのユーザとＳＮＳのユーザの紐付けの指示を、携帯アプリケーションのログインＩＤとパスワードとともに受信する。ステップＳ２３２において、サーバ２０１のCPUは、紐付け指示のあったＳＮＳサーバ２０２の接続を、ネットワーク２０４を介して確認する。
【０１７０】
ステップＳ２３３において、サーバ２０１のCPUは、紐付け指示のあったＳＮＳサーバ２０２が接続されているか否かを判定し、接続されていると判定した場合、ステップＳ２３４に進む。ステップＳ２３４において、サーバ２０１のCPUは、携帯アプリケーションのユーザとＳＮＳサーバ２０２が提供するＳＮＳのユーザを紐付け、その紐付け情報を携帯アプリケーションのログインＩＤおよびパスワードとともにHDDに記憶する。ステップＳ２３５において、サーバ２０１のCPUは、ネットワーク２０４を介して、紐付け完了通知を画像出力受付端末１に送信する。
【０１７１】
ステップＳ２３３において、サーバ２０１のCPUは、紐付け指示のあったＳＮＳサーバ２０２が接続されていないと判定した場合、ステップＳ２３６に進み、ネットワーク２０４を介して、紐付けエラー通知を画像出力受付端末１に送信する。
【０１７２】
以上のように、携帯アプリケーションに登録されるユーザとＳＮＳのユーザとを紐付けるためのユーザインターフェースを提供することで、各ＳＮＳにそれぞれログインして画像データを確認する必要がなくなり、共通ログインＩＤとパスワードを用いて携帯アプリケーションにログインするだけで、各ＳＮＳにアップロードされた画像データを、あたかも画像出力受付端末１上で一元管理しているかのように処理することができる。すなわち、複数のＳＮＳに個別にログインする手間を省き、ワンストップで複数のＳＮＳ上の画像をプリントすることができ、利便性を向上させることができる。
【０１７３】
また以上においては、画像出力受付端末１上で携帯アプリケーションのユーザとＳＮＳのユーザを紐付けるユーザインターフェースを提供するようにしたが（特に、図１７のステップＳ２０５〜Ｓ２１１）、これに限らず、携帯端末２０３上で行うことも勿論可能である。
【０１７４】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１７５】
１………画像出力受付端末
１１………タッチパネル付ディスプレイ
６１………入力制御部
６２………表示制御部
６３………画像受付部
６４………照合部
６５………絞り込み部
６６………編集部
２０１………サーバ
２０２−１乃至２０２−Ｎ………ＳＮＳサーバ
２０３………携帯端末
２０４………ネットワーク
【図１】
0006011024.tif 000002
【図２】
0006011024.tif 000003
【図３】
0006011024.tif 000004
【図４】
0006011024.tif 000005
【図５】
0006011024.tif 000006
【図６】
0006011024.tif 000007
【図７】
0006011024.tif 000008
【図８】
0006011024.tif 000009
【図９】
0006011024.tif 000010
【図１０】
0006011024.tif 000011
【図１１】
0006011024.tif 000012
【図１２】
0006011024.tif 000013
【図１３】
0006011024.tif 000014
【図１４】
0006011024.tif 000015
【図１５】
0006011024.tif 000016
【図１６】
0006011024.tif 000017
【図１７】
0006011024.tif 000018
【図１８】
0006011024.tif 000019
【図１９】
0006011024.tif 000020
【図２０】
0006011024.tif 000021
【図２１】
0006011024.tif 000022
【図２２】
0006011024.tif 000023